(57)【要約】【課題】  簡単な構造で、個体差が小さく、Ｘ線照射範囲を調整しやすいＸ線可動絞りを提供する。【解決手段】  Ｘ線可動絞り(10)は、Ｘ線照射範囲を互いに直交するｘ軸方向およびｙ軸方向に調整するために、ｘ軸方向に移動するｘ軸可動制限羽根(20)およびｙ軸方向に移動するｙ軸可動制限羽根(30)を備える。ｘ軸可動制限羽根(20)は、ｘ軸方向で互いに接近および／または離反する第一ｘ軸可動制限羽根(20a)および第二ｘ軸可動制限羽根(20b)で構成し、  第一ｘ軸可動制限羽根(20a)を連動させる第一ｘ軸ナット部(25a)と、第二ｘ軸可動制限羽根(20b)を連動させる第二ｘ軸ナット部(25b)と、第一ｘ軸ナット部(25a)に螺合する第一ネジ部(24a)および第二ｘ軸ナット部(25b)に螺合する第二ネジ部(24b)を有し、正逆回転するｘ軸ターンバックル(24)と、を備える。ｙ軸可動制限羽根(30)は、ｘ軸可動制限羽根(20)と同様の構造である。【選択図】  図１
2014185930.tif 000002
【特許請求の範囲】
【請求項１】
Ｘ線照射範囲を互いに直交するｘ軸方向およびｙ軸方向に調整するために、ｘ軸方向に移動するｘ軸可動制限羽根およびｙ軸方向に移動するｙ軸可動制限羽根を備えたＸ線可動絞りであって、
前記ｘ軸可動制限羽根は、ｘ軸方向で互いに接近および／または離反する第一ｘ軸可動制限羽根および第二ｘ軸可動制限羽根を備え、
前記第一ｘ軸可動制限羽根を連動させる第一ｘ軸ナット部と、前記第二ｘ軸可動制限羽根を連動させる第二ｘ軸ナット部と、前記第一ｘ軸ナット部に螺合する第一ネジ部および前記第二ｘ軸ナット部に螺合する第二ネジ部を有し、正逆回転するｘ軸ターンバックルと、を備え、
前記ｙ軸可動制限羽根は、ｙ軸方向で互いに接近および／または離反する第一ｙ軸可動制限羽根および第二ｙ軸可動制限羽根を備え、
前記第一ｙ軸可動制限羽根を連動させる第一ｙ軸ナット部と、前記第二ｙ軸可動制限羽根を連動させる第二ｙ軸ナット部と、前記第一ｙ軸ナット部に螺合する第一ネジ部および前記第二ｙ軸ナット部に螺合する第二ネジ部を有し、正逆回転するｙ軸ターンバックルと、を備えることとしたＸ線可動絞り。
【請求項２】
前記第一ｘ軸可動制限羽根は、支持フレームに回転可能に軸支した第一ｘ軸リンク部の先端に固定し、前記第一ｘ軸リンク部の中間を連結部材にて前記第一ｘ軸ナット部に連結し、
前記第二ｘ軸可動制限羽根は、支持フレームに回転可能に軸支した第二ｘ軸リンク部の先端に固定し、前記第二ｘ軸リンク部の中間を連結部材にて前記第二ｘ軸ナット部に連結し、
前記第一ｙ軸可動制限羽根は、支持フレームに回転可能に軸支した第一ｙ軸リンク部の先端に固定し、前記第一ｙ軸リンク部の中間を連結部材にて前記第一ｙ軸ナット部に連結し、
前記第二ｙ軸可動制限羽根は、支持フレームに回転可能に軸支した第二ｙ軸リンク部の先端に固定し、前記第二ｙ軸リンク部の中間を連結部材にて前記第二ｙ軸ナット部に連結した請求項１に記載のＸ線可動絞り。
【請求項３】
Ｘ線を発生するＸ線発生部と、前記Ｘ線発生部から発生するＸ線のＸ線照射範囲を調整するＸ線可動絞りとを備えたＸ線照射装置において、
前記Ｘ線可動絞りは、Ｘ線照射範囲を互いに直交するｘ軸方向およびｙ軸方向に調整するために、ｘ軸方向に移動するｘ軸可動制限羽根およびｙ軸方向に移動するｙ軸可動制限羽根を備え、
前記ｘ軸可動制限羽根は、ｘ軸方向で互いに接近および／または離反する第一ｘ軸可動制限羽根および第二ｘ軸可動制限羽根を備え、
前記第一ｘ軸可動制限羽根を連動させる第一ｘ軸ナット部と、前記第二ｘ軸可動制限羽根を連動させる第二ｘ軸ナット部と、前記第一ｘ軸ナット部に螺合する第一ネジ部および前記第二ｘ軸ナット部に螺合する第二ネジ部を有し、正逆回転するｘ軸ターンバックルと、を備え、
前記ｙ軸可動制限羽根は、ｙ軸方向で互いに接近および／または離反する第一ｙ軸可動制限羽根および第二ｙ軸可動制限羽根を備え、
前記第一ｙ軸可動制限羽根を連動させる第一ｙ軸ナット部と、前記第二ｙ軸可動制限羽根を連動させる第二ｙ軸ナット部と、前記第一ｙ軸ナット部に螺合する第一ネジ部および前記第二ｙ軸ナット部に螺合する第二ネジ部を有し、正逆回転するｙ軸ターンバックルと、を備えることとしたＸ線照射装置。
【請求項４】
前記Ｘ線可動絞りにおいて、  前記第一ｘ軸可動制限羽根は、支持フレームに回転可能に軸支した第一ｘ軸リンク部の先端に固定し、前記第一ｘ軸リンク部の中間を連結部材にて前記第一ｘ軸ナット部に連結し、
前記第二ｘ軸可動制限羽根は、支持フレームに回転可能に軸支した第二ｘ軸リンク部の先端に固定し、前記第二ｘ軸リンク部の中間を連結部材にて前記第二ｘ軸ナット部に連結し、
前記第一ｙ軸可動制限羽根は、支持フレームに回転可能に軸支した第一ｙ軸リンク部の先端に固定し、前記第一ｙ軸リンク部の中間を連結部材にて前記第一ｙ軸ナット部に連結し、
前記第二ｙ軸可動制限羽根は、支持フレームに回転可能に軸支した第二ｙ軸リンク部の先端に固定し、前記第二ｙ軸リンク部の中間を連結部材にて前記第二ｙ軸ナット部に連結した請求項３に記載のＸ線照射装置。
【発明の詳細な説明】
【技術分野】
【０００１】
本発明は、Ｘ線照射範囲を調整するためのＸ線可動絞りおよびそのＸ線稼働絞りを用いたＸ線照射装置に関する。
【背景技術】
【０００２】
Ｘ線撮影装置によってＸ線撮影を実行する際、患者に対して過度のＸ線被ばくを与えないようにするために、Ｘ線可動絞りを用いてＸ線照射範囲を調整する。
従来のＸ線可動絞りは、たとえば特許文献１において、前記Ｘ線照射範囲を調整するための可動制限羽根と、前記可動制限羽根で制限されたＸ線照射範囲を照光するための照光器を備えている。
前記可動制限羽根は、Ｘ線照射範囲を互いに直交するｘ方向およびｙ方向に調整するために、ｘ方向に移動する第一の可動制限羽根と、ｙ方向に移動する第二の軸可動制限羽根とを備えている。さらに、前記第一の可動制限羽根を動作させる第一の回転軸と、前記第二の可動制限羽根を動作させる第二の回転軸とを備えている。前記第一の回転軸および前記第二の回転軸におけるそれぞれの先端には操作ツマミを取り付けている。
【０００３】
前記第一の可動制限羽根は、前記第一の回転軸の回転に伴って回転する第一の羽根駆動歯車および前記第一の羽根駆動歯車に噛み合う第二の羽根駆動歯車によって開閉動作する構成である。たとえば、前記第一の羽根駆動歯車および前記第二の羽根駆動歯車には、それぞれ外周縁の一部に半径方向に延びるリンク部が設けられ、前記各リンク部には、前記第一の可動制限羽根に設けたピンを移動可能に嵌め合わせている。
したがって、前記操作ツマミを回して第一の回転軸を回転すると、前記第一の羽根駆動歯車と前記第二の羽根駆動歯車が、互いに逆方向に回転するので、前記各リンク部も互いに逆方向に回転する。前記各リンク部に嵌め合うピンを介して前記第一の可動制限羽根がｘ方向で互いに接近および／または離反する方向に開閉動作する。
【０００４】
一方、前記第二の可動制限羽根は、前記第二の回転軸の回転に伴って回転する第三の羽根駆動歯車および前記第三の羽根駆動歯車に噛み合う第四の羽根駆動歯車によって開閉動作する構成である。たとえば、前記第三の羽根駆動歯車および前記第四の羽根駆動歯車には、それぞれ外周縁の一部に半径方向に延びるリンク部が設けられ、前記各リンク部には、前記第二の可動制限羽根に設けたピンを移動可能に嵌め合わせている。
したがって、前記操作ツマミを回して前記第二の回転軸を回転すると、前記第三の羽根駆動歯車と前記第四の羽根駆動歯車が、互いに逆方向に回転するので、前記各リンク部も互いに逆方向に回転する。各リンク部に嵌め合うピンを介して前記第二の可動制限羽根がｙ方向で互いに接近および／または離反する方向に開閉動作する。
【先行技術文献】
【特許文献】
【０００５】
【特許文献１】特開２００９−１８２０８号公報
【発明の概要】
【発明が解決しようとする課題】
【０００６】
従来のＸ線可動絞りでは、特許文献１に示すように、第一の回転軸および第二の回転軸を回転して第一の可動制限羽根および第二の軸可動制限羽根を開閉動作するために、第一の羽根駆動歯車、第二の羽根駆動歯車、第三の羽根駆動歯車、第四の羽根駆動歯車、各リンク部、各ピンなどの多くの部材で構成される。
一方、Ｘ線照射装置は、その用途や要求される性能によって全体の大きさが異なる数種類が存在する。その種類に応じて全ての機構を設計および製造していては、手間が掛かり、部品管理も複雑化し、製造コストも高くなる。
【０００７】
従来のＸ線可動絞りは、第一の羽根駆動歯車と第二の羽根駆動歯車における噛み合い状態を変化させることで、開閉状態を調整している。すなわち、第一および第二の羽根駆動歯車の大きさが決定されると、その大きさが開閉状態の操作ツマミの調整角度へ直接影響する。
いわゆる「遊び」を設定することで操作ツマミの操作感は柔らかくなるが、開閉寸法を微調整するには、「遊び」によって「戻り（返し）」が生じてしまう。つまり、操作者が調整ツマミの癖を掴むまでは、意図する調整がしにくいということになる。
また、この「遊び」は、使用しているうちに大きくなりがちである。すなわち、特定の操作者のみが継続して同じ機器を使っている場合を除き、別の操作者にとっては調整ツマミの癖を掴むことも一過性、ということになる。
すなわち、機器に個体差が生じにくいＸ線可動絞りが、潜在的に望まれていた。
【０００８】
本発明が解決しようとする課題は、より簡単な構造で、個体差が小さく、しかもＸ線照射範囲を調整しやすいＸ線可動絞り、およびＸ線照射装置を提供することにある。
【課題を解決するための手段】
【０００９】
（第一の発明）
本願における第一の発明は、  Ｘ線照射範囲を互いに直交するｘ軸方向およびｙ軸方向に調整するために、ｘ軸方向に移動するｘ軸可動制限羽根(20)およびｙ軸方向に移動するｙ軸可動制限羽根(30)を備えたＸ線可動絞り(10)に係る。
前記ｘ軸可動制限羽根(20)は、ｘ軸方向で互いに接近および／または離反する第一ｘ軸可動制限羽根(20a)および第二ｘ軸可動制限羽根(20b)を備え、  前記第一ｘ軸可動制限羽根(20a)を連動させる第一ｘ軸ナット部(25a)と、前記第二ｘ軸可動制限羽根(20b)を連動させる第二ｘ軸ナット部(25b)と、前記第一ｘ軸ナット部(25a)に螺合する第一ネジ部(24a)および前記第二ｘ軸ナット部(25b)に螺合する第二ネジ部(24b)を有し、正逆回転するｘ軸ターンバックル(24)と、を備える。
前記ｙ軸可動制限羽根(30)は、ｙ軸方向で互いに接近および／または離反する第一ｙ軸可動制限羽根(30a)および第二ｙ軸可動制限羽根(30b)を備え、  前記第一ｙ軸可動制限羽根(30a)を連動させる第一ｙ軸ナット部(35a)と、前記第二ｙ軸可動制限羽根(30b)を連動させる第二ｙ軸ナット部(35b)と、前記第一ｙ軸ナット部(35a)に螺合する第一ネジ部(34a)および前記第二ｙ軸ナット部(35b)に螺合する第二ネジ部(34b)を有し、正逆回転するｙ軸ターンバックル(34)と、を備える。  以上のようなＸ線可動絞り(10)に係る。
【００１０】
（作用）
ｘ軸ターンバックル(24)を正逆回転させると、ｘ軸ターンバックル(24)の第一ネジ部(24a)に螺合する第一ｘ軸ナット部(25a)と、第二ネジ部(24b)に螺合する第二ｘ軸ナット部(25b)が、互いに接近および／または離反する。前記第一ｘ軸ナット部(25a)の動作に伴って前記第一ｘ軸可動制限羽根(20a)が連動し、前記第二ｘ軸ナット部(25b)の動作に伴って前記第二ｘ軸可動制限羽根(20b)が連動し、前記第一ｘ軸可動制限羽根(20a)および前記第二ｘ軸可動制限羽根(20b)が互いに接近および／または離反する。
一方、ｙ軸ターンバックル(34)を正逆回転させると、ｙ軸ターンバックル(34)の第一ネジ部(34a)に螺合する第一ｙ軸ナット部(35a)と、第二ネジ部(34b)に螺合する第二ｙ軸ナット部(35b)が、互いに接近および／または離反する。前記第一ｙ軸ナット部(35a)の動作に伴って前記第一ｙ軸可動制限羽根(30a)が連動し、前記第二ｙ軸ナット部(35b)の動作に伴って前記第二ｙ軸可動制限羽根(30b)が連動し、前記第一ｙ軸可動制限羽根(30a)および前記第二ｙ軸可動制限羽根(30b)が互いに接近および／または離反する。
【００１１】
以上のように、簡単な構造にて、Ｘ線照射範囲を互いに直交するｘ軸方向およびｙ軸方向に調整することができる。また、第一ｘ軸ナット部(25a)と第二ｘ軸ナット部(25b)における接近および／または離反は、従来構造に比べて、いわゆる「遊び」が小さいので、個体差が生じにくい。したがって、前記第一ｘ軸可動制限羽根(20a)および前記第二ｘ軸可動制限羽根(20b)における接近および／または離反は、個体差が生じにくく、調整しやすい。一方、第一ｙ軸ナット部(35a)と第二ｙ軸ナット部(35b)における接近および／または離反は、従来構造に比べて、いわゆる「遊び」が小さいので、個体差が生じにくい。したがって、前記第一ｙ軸可動制限羽根(30a)および前記第二ｙ軸可動制限羽根(30b) における接近および／または離反は、個体差が生じにくく、可動位置の調整がしやすい。
【００１２】
（第一の発明のバリエーション１）
第一の発明は、以下のようなバリエーションを提供することもできる。
すなわち、  前記第一ｘ軸可動制限羽根(20a)は、支持フレーム(12)に回転可能に軸支した第一ｘ軸リンク部(21)の先端に固定し、前記第一ｘ軸リンク部(21)の中間を連結部材(26a)にて前記第一ｘ軸ナット部(25a)に連結する。
前記第二ｘ軸可動制限羽根(20b)は、支持フレーム(12)に回転可能に軸支した第二ｘ軸リンク部(22)の先端に固定し、前記第二ｘ軸リンク部(22)の中間を連結部材(26b)にて前記第二ｘ軸ナット部(25b)に連結する。
前記第一ｙ軸可動制限羽根(30a)は、支持フレーム(12)に回転可能に軸支した第一ｙ軸リンク部(31)の先端に固定し、前記第一ｙ軸リンク部(31)の中間を連結部材(36a)にて前記第一ｙ軸ナット部(35a)に連結する。
前記第二ｙ軸可動制限羽根(30b)は、支持フレーム(12)に回転可能に軸支した第二ｙ軸リンク部(32)の先端に固定し、前記第二ｙ軸リンク部(32)の中間を連結部材(36b)にて前記第二ｙ軸ナット部(35b)に連結する。  Ｘ線可動絞り(10)は、以上のように構成することができる。
【００１３】
（作用）
ｘ軸ターンバックル(24)を正逆回転させると、ｘ軸ターンバックル(24)の第一ネジ部(24a)に螺合する第一ｘ軸ナット部(25a)と、第二ネジ部(24b)に螺合する第二ｘ軸ナット部(25b)が、互いに接近および／または離反する。それに伴って、前記第一ｘ軸ナット部(25a)と単に連結部材(26a)にて連結した第一ｘ軸リンク部(21)が回動し、前記第二ｘ軸ナット部(25b)と単に連結部材(26a)に連結した前記第二ｘ軸リンク部(22)が回動する。前記第一ｘ軸可動制限羽根(20a)および前記第二ｘ軸可動制限羽根(20b)は、互いに接近および／または離反する。
一方、ｙ軸ターンバックル(34)を正逆回転させると、ｙ軸ターンバックル(34)の第一ネジ部(34a)に螺合する第一ｙ軸ナット部(35a)と、第二ネジ部(34b)に螺合する第二ｙ軸ナット部(35b)が、互いに接近および／または離反する。それに伴って、前記第一ｙ軸ナット部(35a)と単に連結部材(36a)にて連結した第一ｙ軸リンク部(31)がに回動し、前記第二ｙ軸ナット部(35b)と単に連結部材(36b)に連結した前記第二ｙ軸リンク部(32)が回動する。前記第一ｙ軸可動制限羽根(30a)および前記第二ｙ軸可動制限羽根(30b)は、互いに接近および／または離反する。
【００１４】
以上のように、簡単な構造にて、Ｘ線照射範囲を互いに直交するｘ軸方向およびｙ軸方向に調整することができる。しかも、上記のリンク機構は、従来構造に比べて、いわゆる「遊び」が小さいので、個体差が生じにくい。したがって、ｘ軸可動制限羽根(20)およびｙ軸可動制限羽根(30)は、個体差が生じにくく、調整しやすい。
また、前記第一ｘ軸可動制限羽根(20a)および前記第二ｘ軸可動制限羽根(20b)は、前記第一ｘ軸リンク部(21) および前記第二ｘ軸リンク部(22)の長さを変更することによって、移動距離を変更することができる。すなわち、ｘ軸方向の照射範囲の大きさを変更することができる。一方、前記第一ｙ軸可動制限羽根(30a)および前記第二ｙ軸可動制限羽根(30b)は、前記第一ｙ軸リンク部(31) および前記第二ｙ軸リンク部(32)の長さを変更することによって、移動距離を変更することができる。すなわち、ｙ軸方向の照射範囲の大きさを変更することができる。
以上のことから、上記のリンク機構の長さを変更するだけで、Ｘ線照射装置の大きさに簡単に対応することができる。製造コストを低減することができる。
【００１５】
（第二の発明）
第二の発明は、第一の発明に係るＸ線可動絞り(10)を備えたＸ線照射装置に係る。
すなわち、Ｘ線照射装置は、Ｘ線を発生するＸ線発生部と、前記Ｘ線発生部から発生するＸ線のＸ線照射範囲を調整するＸ線可動絞り(10)とを備える。
前記Ｘ線可動絞り(10)は、  Ｘ線照射範囲を互いに直交するｘ軸方向およびｙ軸方向に調整するために、ｘ軸方向に移動するｘ軸可動制限羽根(20)およびｙ軸方向に移動するｙ軸可動制限羽根(30)を備える。
前記ｘ軸可動制限羽根(20)は、ｘ軸方向で互いに接近および／または離反する第一ｘ軸可動制限羽根(20a)および第二ｘ軸可動制限羽根(20b)を備え、  前記第一ｘ軸可動制限羽根(20a)を連動させる第一ｘ軸ナット部(25a)と、前記第二ｘ軸可動制限羽根(20b)を連動させる第二ｘ軸ナット部(25b)と、前記第一ｘ軸ナット部(25a)に螺合する第一ネジ部(24a)および前記第二ｘ軸ナット部(25b)に螺合する第二ネジ部(24b)を有し、正逆回転するｘ軸ターンバックル(24)と、を備える。
前記ｙ軸可動制限羽根(30)は、ｙ軸方向で互いに接近および／または離反する第一ｙ軸可動制限羽根(30a)および第二ｙ軸可動制限羽根(30b)を備え、  前記第一ｙ軸可動制限羽根(30a)を連動させる第一ｙ軸ナット部(35a)と、前記第二ｙ軸可動制限羽根(30b)を連動させる第二ｙ軸ナット部(35b)と、前記第一ｙ軸ナット部(35a)に螺合する第一ネジ部(34a)および前記第二ｙ軸ナット部(35b)に螺合する第二ネジ部(34b)を有し、正逆回転するｙ軸ターンバックル(34)と、を備える。  以上のようなＸ線照射装置に係る。
【００１６】
（作用）
第二の発明に係るＸ線照射装置は、第一の発明に係るＸ線可動絞り(10)を備えているので、簡単な構造にて、前記Ｘ線発生部から発生するＸ線のＸ線照射範囲を互いに直交するｘ軸方向およびｙ軸方向に調整することができる。また、第一ｘ軸ナット部(25a)と第二ｘ軸ナット部(25b)における接近および／または離反は、従来構造に比べて、いわゆる「遊び」が小さいので、個体差が生じにくい。したがって、前記第一ｘ軸可動制限羽根(20a)および前記第二ｘ軸可動制限羽根(20b)における接近および／または離反は、個体差が生じにくく、可動位置の調整がしやすい。
一方、第一ｙ軸ナット部(35a)と第二ｙ軸ナット部(35b)における接近および／または離反は、従来構造に比べて、いわゆる「遊び」が小さいので、個体差が生じにくい。したがって、前記第一ｙ軸可動制限羽根(30a)および前記第二ｙ軸可動制限羽根(30b) における接近および／または離反は、個体差が生じにくく、可動位置の調整がしやすい。
【００１７】
（第二の発明のバリエーション１）
第二の発明は、以下のようなバリエーションを提供することもできる。
すなわち、  前記Ｘ線可動絞り(10)において、  前記第一ｘ軸可動制限羽根(20a)は、支持フレーム(12)に回転可能に軸支した第一ｘ軸リンク部(21)の先端に固定し、前記第一ｘ軸リンク部(21)の中間を連結部材(26a)にて前記第一ｘ軸ナット部(25a)に連結する。
前記第二ｘ軸可動制限羽根(20b)は、支持フレーム(12)に回転可能に軸支した第二ｘ軸リンク部(22)の先端に固定し、前記第二ｘ軸リンク部(22)の中間を連結部材(26b)にて前記第二ｘ軸ナット部(25b)に連結する。
前記第一ｙ軸可動制限羽根(30a)は、支持フレーム(12)に回転可能に軸支した第一ｙ軸リンク部(31)の先端に固定し、前記第一ｙ軸リンク部(31)の中間を連結部材(36a)にて前記第一ｙ軸ナット部(35a)に連結する。
前記第二ｙ軸可動制限羽根(30b)は、支持フレーム(12)に回転可能に軸支した第二ｙ軸リンク部(32)の先端に固定し、前記第二ｙ軸リンク部(32)の中間を連結部材(36b)にて前記第二ｙ軸ナット部(35b)に連結する。  Ｘ線照射装置は、以上のように構成することができる。
【００１８】
（作用）
第二の発明に係るＸ線照射装置は、前記のように構成したＸ線可動絞り(10)を備えているので、簡単な構造にて、前記Ｘ線発生部から発生するＸ線のＸ線照射範囲を互いに直交するｘ軸方向およびｙ軸方向に調整することができる。しかも、前記Ｘ線可動絞り(10)におけるリンク機構は、従来構造に比べて、いわゆる「遊び」が小さいので、個体差が生じにくい。したがって、ｘ軸可動制限羽根(20)およびｙ軸可動制限羽根(30)は、個体差が生じにくく、調整しやすい。
また、前記第一ｘ軸可動制限羽根(20a)および前記第二ｘ軸可動制限羽根(20b)は、前記第一ｘ軸リンク部(21) および前記第二ｘ軸リンク部(22)の長さを変更することによって、移動距離を変更することができる。すなわち、ｘ軸方向の照射範囲の大きさを変更することができる。一方、前記第一ｙ軸可動制限羽根(30a)および前記第二ｙ軸可動制限羽根(30b)は、前記第一ｙ軸リンク部(31) および前記第二ｙ軸リンク部(32)の長さを変更することによって、移動距離を変更することができる。すなわち、ｙ軸方向の照射範囲の大きさを変更することができる。
以上のことから、上記のリンク機構の長さを変更するだけで、Ｘ線照射装置の大きさに簡単に対応することができる。製造コストを低減することができる。
【発明の効果】
【００１９】
第一の発明によれば、簡単な構造で、個体差が小さく、Ｘ線照射範囲を調整しやすいＸ線可動絞りを提供することができた。
第二の発明によれば、簡単な構造で、個体差が小さく、Ｘ線照射範囲を調整しやすいＸ線照射装置を提供することができた。
【図面の簡単な説明】
【００２０】
【図１】本発明に係る実施形態のＸ線可動絞りの全体的な斜視図である。
【図２】図１において矢視ＩＩから視た斜視図である。
【図３】（Ａ）は、Ｘ線照射装置の概略を示す正面図であり、（Ｂ）は（Ａ）の一部を右側から視た側面図である。
【発明を実施するための形態】
【００２１】
以下、本発明の実施形態について図面を参照して説明する。
本実施形態に係るＸ線可動絞り１０は、図３（Ａ），（Ｂ）に示すように、Ｘ線照射装置１の一部を構成し、Ｘ線を発生するＸ線発生部２へ一体的に取り付けられる装置である。すなわち、Ｘ線発生部２から発生するＸ線が患者へ照射される際に、Ｘ線可動絞り１０を用いてＸ線照射範囲を調整することによって、患者に対して過度のＸ線被ばくを与えないようにする。
なお、本実施形態に係るＸ線照射装置１は、Ｘ線発生部２およびＸ線可動絞り１０を患者の被照射部位に対して移動位置決めするためのアーム部３ａや支持部材３ｂを有する昇降機構３を備える。さらに、Ｘ線照射条件の設定、Ｘ線照射を行なうための操作パネル、前記Ｘ線発生部２から発生するＸ線を制御する制御装置等を備えた装置本体部を備える。さらに、患者のＸ線画像情報を出力するためのＸ線検出部４を備える。
Ｘ線発生部２は、図３（Ａ）に示すように、軸方向がほぼ水平方向に向けて配置された円筒形状のＸ線管２ａを備えている。前記Ｘ線管２ａの下方にＸ線可動絞り１０を一体的に取り付けている。前記Ｘ線管２ａは、その内部で、一端側に配置した陰極のフィラメントと、他端側に配置した陽極のターゲットとを有している。前記陰極と前記陽極の間に高電圧を印加することによって、フィラメントから放出した電子がターゲットに衝突し、図３（Ａ）において下方へ向けてＸ線を発生する。
Ｘ線検出部４は、Ｘ線発生部２から発生するＸ線をＸ線可動絞り１０で絞って下方へ向けて照射する際に、患者が横になる撮影台５の下に設けられる。
なお、本実施形態のＸ線可動絞りは、移動型Ｘ線照射装置あるいは固定型Ｘ線照射装置に用いられる。
【００２２】
前記Ｘ線可動絞り１０は、図１に示すように、上面側および底面側を開口したケース１１を備えている。前記ケース１１の上面側が前記Ｘ線発生部の下面に取り付けられ、前記ケース１１の下面側が患者の被照射部位に向けられることになる。
前記ケース１１の内部には、Ｘ線照射範囲を互いに直交するｘ軸方向およびｙ軸方向に調整するために、ｘ軸方向に移動するｘ軸可動制限羽根２０およびｙ軸方向に移動するｙ軸可動制限羽根３０を備えている。すなわち、前記ｘ軸可動制限羽根２０および前記ｙ軸可動制限羽根３０は、前記ケース１１の内部で前記ケース１１の底面に固定した支持フレーム１２に、移動可能に支持される構成である。
【００２３】
前記ｘ軸可動制限羽根２０について詳しく説明する。
ｘ軸可動制限羽根２０は、ｘ軸方向で互いに接近および／または離反する第一ｘ軸可動制限羽根２０ａおよび第二ｘ軸可動制限羽根２０ｂで構成される。
前記第一ｘ軸可動制限羽根２０ａは、前記支持フレーム１２に回転可能に軸支した第一ｘ軸リンク部２１の先端に固定される。すなわち、前記第一ｘ軸リンク部２１はコ字形状をなし、そのコ字形状の両側片部２１ａ，２１ｂを前記支持フレーム１２へ軸２３ａにて回転可能に軸支している。前記第一ｘ軸可動制限羽根２０ａは前記コ字形状の中間片部２１ｃにボルトなどで固定している。
【００２４】
一方、前記第二ｘ軸可動制限羽根２０ｂは、前記支持フレーム１２に回転可能に軸支した第二ｘ軸リンク部２２の先端に固定される。すなわち、前記第二ｘ軸リンク部２２はコ字形状をなし、そのコ字形状の両側片部２２ａ，２２ｂを前記支持フレーム１２へ軸２３ｂにて回転可能に軸支している。前記第二ｘ軸可動制限羽根２０ｂは前記コ字形状の中間片部２２ｃにボルトなどで固定している。
【００２５】
また、第一ネジ部２４ａおよび第二ネジ部２４ｂを有するｘ軸ターンバックル２４が、前記第一ｘ軸リンク部２１のコ字形状の一側片部２１ａと、前記第二ｘ軸リンク部２２のコ字形状の一側片部２２ａとの近くに位置して前記支持フレーム１２に回転可能に支持されている。しかも、第一ｘ軸ナット部２５ａが前記第一ネジ部２４ａに螺合し、第二ｘ軸ナット部２５ｂが前記第二ネジ部２４ｂに螺合している。また、ｘ軸ターンバックル２４の一端側に連結したシャフト２４ｃを前記ケース１１の外部へ突き出し、その突き出したシャフト２４ｃに操作ツマミ２９を取り付けている。
【００２６】
前記第一ｘ軸ナット部２５ａは、前記第一ｘ軸リンク部２１のコ字形状の一側片部２１ａの中間位置に回転可能に連結した連結部材２６ａの一端へ固定ピン２７ａにて連結固定している。なお、本実施形態では、前記第一ｘ軸リンク部２１のコ字形状の一側片部２１ａと前記連結部材２６ａとの連結位置は、前記第一ｘ軸リンク部２１のコ字形状の一側片部２１ａにおける軸２３ａから距離Ｌａにある。この距離Ｌａが小さいほど、第一ｘ軸ナット部２５ａの移動距離に対する前記第一ｘ軸リンク部２１のコ字形状の中間片部２１ｃの移動距離が大きくなる。すなわち、前記第一ｘ軸可動制限羽根２０ａの移動距離が大きくなる。なお、前記第一ｘ軸リンク部２１の回動範囲を制限するために、ストッパー２８ａを支持フレーム１２に設けている。
【００２７】
一方、前記第二ｘ軸ナット部２５ｂは、前記第二ｘ軸リンク部２２のコ字形状の一側片部２２ａの中間位置に回転可能に連結した連結部材２６ｂの一端へ固定ピン２７ｂにて連結固定している。なお、本実施形態では、前記第二ｘ軸リンク部２２のコ字形状の一側片部２２ｂと前記連結部材２６ｂとの連結位置は、前記第二ｘ軸リンク部２２のコ字形状の一側片部２２ｂにおける軸２３ｂから距離Ｌｂにある。この距離Ｌｂが小さいほど、第二ｘ軸ナット部２５ｂの移動距離に対する前記第二ｘ軸リンク部２２のコ字形状の中間片部２２ｃの移動距離が大きくなる。すなわち、前記第二ｘ軸可動制限羽根２０ｂの移動距離が大きくなる。なお、前記第二ｘ軸リンク部２２の回動範囲を制限するためのストッパー２８ｂを支持フレーム１２に設けている。
【００２８】
次に、上記のｘ軸可動制限羽根２０におけるｘ軸方向の照射範囲の調整動作について説明する。
前記操作ツマミ２９を回転すると、シャフト２４ｃを介してｘ軸ターンバックル２４が回転し、前記第一ｘ軸ナット部２５ａと前記第二ｘ軸ナット部２５ｂが互いに接近および／または離反する方向へ移動する。
たとえば、前記操作ツマミ２９を正回転すると、前記第一ｘ軸ナット部２５ａと前記第二ｘ軸ナット部２５ｂが互いに接近する方向に移動する。それに伴って、前記第一ｘ軸ナット部２５ａに連結した連結部材２６ａを介して前記第一ｘ軸リンク部２１を図１において時計回り方向へ回動させる。一方、第二ｘ軸ナット部２５ｂに連結した連結部材２６ｂを介して前記第二ｘ軸リンク部２２を図１において反時計回り方向へ回動させる。すなわち、前記第一ｘ軸可動制限羽根２０ａおよび前記第二ｘ軸可動制限羽根２０ｂは、互いに接近する方向に移動する。
【００２９】
また、前記操作ツマミ２９を逆回転すると、前記第一ｘ軸ナット部２５ａと前記第二ｘ軸ナット部２５ｂが互いに離反する方向に移動する。それに伴って、前記第一ｘ軸ナット部２５ａに連結した連結部材２６ａを介して前記第一ｘ軸リンク部２１を図１において反時計回り方向へ回動させる。一方、第二ｘ軸ナット部２５ｂに連結した連結部材２６ｂを介して前記第二ｘ軸リンク部２２を図１において時計回り方向へ回動させる。すなわち、前記第一ｘ軸可動制限羽根２０ａおよび前記第二ｘ軸可動制限羽根２０ｂは、互いに離反する方向に移動する。
【００３０】
以上のように、ｘ軸ターンバックル２４を正逆回転させると、ｘ軸ターンバックル２４の第一ネジ部２４ａに螺合する第一ｘ軸ナット部２５ａと、第二ネジ部２４ｂに螺合する第二ｘ軸ナット部２５ｂが、互いに接近および／または離反する動作を利用することで、簡単な構造にてｘ軸可動制限羽根２０におけるｘ軸方向の照射範囲を調整することができた。製造コストを安価にすることができる。
また、ｘ軸ターンバックル２４を正逆回転させたとき、第一ｘ軸ナット部２５ａと第二ｘ軸ナット部２５ｂにおける接近および／または離反は、従来構造に比べて、いわゆる「遊び」が小さいので、個体差が生じにくい。したがって、単に連結部材２６ａおよび連結部材２６ｂにて連結して連動させる第一ｘ軸リンク部２１および第二ｘ軸リンク部２２における回動動作も、個体差が生じにくく、調整しやすい。その結果、たとえば、操作ツマミ２９に目盛を付けて設定値を決め、その設定値に基づいて精確に再設定することができる。
【００３１】
次に、前記ｙ軸可動制限羽根３０について詳しく説明する。
ｙ軸可動制限羽根３０は、図１および図２に示すように、ｙ軸方向で互いに接近および／または離反する第一ｙ軸可動制限羽根３０ａおよび第二ｙ軸可動制限羽根３０ｂで構成される。
前記第一ｙ軸可動制限羽根３０ａは、前記支持フレーム１２に回転可能に軸支した第一ｙ軸リンク部３１の先端に固定される。すなわち、前記第一ｙ軸リンク部３１はコ字形状をなし、そのコ字形状の両側片部３１ａ，３１ｂを前記支持フレーム１２へ軸３３ａにて回転可能に軸支している。前記第一ｙ軸可動制限羽根３０ａは前記コ字形状の中間片部３１ｃにボルトなどで固定している。
【００３２】
一方、前記第二ｙ軸可動制限羽根３０ｂは、前記支持フレーム１２に回転可能に軸支した第二ｙ軸リンク部３２の先端に固定される。前記第二ｙ軸リンク部３２はコ字形状をなし、そのコ字形状の両側片部３２ａ，３２ｂを前記支持フレーム１２へ軸３３ｂにて回転可能に軸支している。前記第二ｙ軸可動制限羽根３０ｂは前記コ字形状の中間片部３２ｃにボルトなどで固定している。
【００３３】
また、第一ネジ部３４ａおよび第二ネジ部３４ｂを有するｙ軸ターンバックル３４が、前記第一ｙ軸リンク部３１のコ字形状の一側片部３１ａと、前記第二ｙ軸リンク部３２のコ字形状の一側片部３２ａとの近くに位置して前記支持フレーム１２に回転可能に支持されている。しかも、第一ｙ軸ナット部３５ａが前記第一ネジ部３４ａに螺合し、第二ｙ軸ナット部３５ｂが前記第二ネジ部３４ｂに螺合している。また、ｙ軸ターンバックル３４の一端側（図２において左端側）にはねじ歯車４１ａを設け、前記ねじ歯車４１ａに噛合するねじ歯車４１ｂを前記支持フレーム１２にて支持されたシャフト４２に設けている。さらに、前記シャフト４２を前記ケース１１の外部へ突き出し、その突き出したシャフト４２に操作ツマミ３９を取り付けている。
【００３４】
前記第一ｙ軸ナット部３５ａは、前記第一ｙ軸リンク部３１のコ字形状の一側片部３１ａの中間位置に回転可能に連結した連結部材３６ａの一端へ固定ピン３７ａにて連結固定している。なお、本実施形態では、前記第一ｙ軸リンク部３１のコ字形状の一側片部３１ａと前記連結部材３６ａとの連結位置は、前記第一ｙ軸リンク部３１のコ字形状の一側片部３１ａにおける軸３３ａから距離Ｌｃにある。この距離Ｌｃが小さいほど、第一ｙ軸ナット部３５ａの移動距離に対する前記第一ｙ軸リンク部３１のコ字形状の中間片部３１ｃの移動距離が大きくなる。すなわち、前記第一ｙ軸可動制限羽根３０ａの移動距離が大きくなる。なお、前記第一ｙ軸リンク部３１の回動範囲を制限するために、ストッパー３８ａを支持フレーム１２に設けている。
【００３５】
一方、前記第二ｙ軸ナット部３５ｂは、前記第二ｙ軸リンク部３２のコ字形状の一側片部３２ａの中間位置に回転可能に連結した連結部材３６ｂの一端へ固定ピン３７ｂにて連結固定している。なお、本実施形態では、前記第二ｙ軸リンク部３２のコ字形状の一側片部３２ａと前記連結部材３６ｂとの連結位置は、前記第二ｙ軸リンク部３２のコ字形状の一側片部３２ａにおける軸３３ｂから距離Ｌｄにある。この距離Ｌｄが小さいほど、第二ｙ軸ナット部３５ｂの移動距離に対する前記第二ｙ軸リンク部３２のコ字形状の中間片部３２ｃの移動距離が大きくなる。すなわち、前記第二ｙ軸可動制限羽根３０ｂの移動距離が大きくなる。なお、前記第二ｙ軸リンク部３２の回動範囲を制限するためのストッパー３８ｂを支持フレーム１２に設けている。
【００３６】
次に、上記のｙ軸可動制限羽根３０におけるｙ軸方向の照射範囲の調整動作について説明する。
前記操作ツマミ３９を回転すると、シャフト４２を介してねじ歯車４１ｂに噛合するねじ歯車４１ａおよびｙ軸ターンバックル３４が回転し、前記第一ｙ軸ナット部３５ａと前記第二ｙ軸ナット部３５ｂが互いに接近および／または離反する方向へ移動する。
たとえば、前記操作ツマミ３９を正回転すると、前記第一ｙ軸ナット部３５ａと前記第二ｙ軸ナット部３５ｂが互いに接近する方向に移動する。それに伴って、前記第一ｙ軸ナット部３５ａに連結した連結部材３６ａを介して前記第一ｙ軸リンク部３１を図２において時計回り方向へ回動させる。一方、第二ｙ軸ナット部３５ｂに連結した連結部材３６ｂを介して前記第二ｙ軸リンク部３２を図２において反時計回り方向へ回動させる。すなわち、前記第一ｙ軸可動制限羽根３０ａおよび前記第二ｙ軸可動制限羽根３０ｂは、互いに接近する方向に移動する。
【００３７】
また、前記操作ツマミ３９を逆回転すると、前記第一ｙ軸ナット部３５ａと前記第二ｙ軸ナット部３５ｂが互いに離反する方向に移動する。それに伴って、前記第一ｙ軸ナット部３５ａに連結した連結部材３６ａを介して前記第一ｙ軸リンク部３１を図２において反時計回り方向へ回動させる。一方、第二ｙ軸ナット部３５ｂに連結した連結部材３６ｂを介して前記第二ｙ軸リンク部３２を図２において時計回り方向へ回動させる。すなわち、前記第一ｙ軸可動制限羽根３０ａおよび前記第二ｙ軸可動制限羽根３０ｂは、互いに離反する方向に移動する。
【００３８】
以上のように、ｙ軸ターンバックル３４を正逆回転させると、ｙ軸ターンバックル３４の第一ネジ部３４ａに螺合する第一ｙ軸ナット部３５ａと、第二ネジ部３４ｂに螺合する第二ｙ軸ナット部３５ｂが、互いに接近および／または離反する動作を利用することで、簡単な構造にてｙ軸可動制限羽根３０におけるｙ軸方向の照射範囲を調整することができた。製造コストを安価にすることができる。
【００３９】
また、ｙ軸ターンバックル３４を正逆回転させたとき、第一ｙ軸ナット部３５ａと第二ｙ軸ナット部３５ｂにおける接近および／または離反は、従来構造に比べて、いわゆる「遊び」が小さいので、個体差が生じにくい。したがって、単に連結部材３６ａおよび連結部材３６ｂにて連結して連動させる第一ｙ軸リンク部３１および第二ｙ軸リンク部３２における回動動作も、個体差が生じにくく、調整しやすい。その結果、たとえば、操作ツマミ３９に目盛を付けて設定値を決め、その設定値に基づいて精確に再設定することができる。
【００４０】
なお、前述した実施形態では、前記操作ツマミ２９および前記操作ツマミ３９は、ケース１１の同じ面に設けているが、他の例としては、ケース１１において互いに隣り合う面に設けても良い。あるいは、ケース１１において対向する面の両方に設けても良い。
【００４１】
また、前記第一ｘ軸可動制限羽根２０ａおよび前記第二ｘ軸可動制限羽根２０ｂは、前記第一ｘ軸リンク部２１および前記第二ｘ軸リンク部２２の長さを変更することによって、移動距離を変更することができる。すなわち、ｘ軸方向の照射範囲の大きさを変更することができる。
一方、前記第一ｙ軸可動制限羽根３０ａおよび前記第二ｙ軸可動制限羽根３０ｂは、前記第一ｙ軸リンク部３１および前記第二ｙ軸リンク部３２の長さを変更することによって、移動距離を変更することができる。すなわち、ｙ軸方向の照射範囲の大きさを変更することができる。したがって、上記のリンク機構の長さを変更するだけで、Ｘ線照射装置の大きさに簡単に対応することができる。製造コストを低減することができる。
【産業上の利用可能性】
【００４２】
本発明は、病院（動物病院を含む）、保健所などの医療業、Ｘ線照射装置の製造業、Ｘ線照射装置のレンタル業などにおいて、利用可能性を有する。
【符号の説明】
【００４３】
１  ；Ｘ線照射装置
２  ；Ｘ線発生部                        ２ａ；Ｘ線管
３  ；昇降機構                          ３ａ； アーム部
３ｂ；支持部材
４  ；Ｘ線検出部                        ５  ；撮影台
１０  ；Ｘ線可動絞り                    １１  ；ケース
１２  ；支持フレーム
２０  ；ｘ軸可動制限羽根                ２０ａ；第一ｘ軸可動制限羽根
２０ｂ；第二ｘ軸可動制限羽根            ２１  ；第一ｘ軸リンク部
２１ａ；側片部                          ２１ｂ；側片部
２１ｃ；中間片部
２２  ；第二ｘ軸リンク部                ２２ａ；側片部
２２ｂ；側片部                          ２２ｃ；中間片部
２３ａ；軸                              ２３ｂ；軸
２４  ；ｘ軸ターンバックル
２４ａ；第一ネジ部                      ２４ｂ；第二ネジ部
２４ｃ；シャフト
２５ａ；第一ｘ軸ナット部                ２５ｂ；第二ｘ軸ナット部
２６ａ；連結部材                        ２６ｂ；連結部材
２７ａ；固定ピン                        ２７ｂ；固定ピン
２８ａ；ストッパー                      ２８ｂ；ストッパー
２９  ；操作ツマミ
３０  ；ｙ軸可動制限羽根                ３０ａ；第一ｙ軸可動制限羽根
３０ｂ；第二ｙ軸可動制限羽根
３１  ；第一ｙ軸リンク部                ３１ａ；側片部
３１ｂ；側片部                          ３１ｃ；中間片部
３２  ；第二ｙ軸リンク部                ３２ａ；側片部
３２ｂ；側片部                          ３２ｃ；中間片部
３３ａ；軸                              ３３ｂ；軸
３４  ；ｙ軸ターンバックル              ３４ａ；第一ネジ部
３４ｂ；第二ネジ部
３５ａ；第一ｙ軸ナット部                ３５ｂ；第二ｙ軸ナット部
３６ａ；連結部材                        ３６ｂ；連結部材
３７ａ；固定ピン                        ３７ｂ；固定ピン
３８ａ；ストッパー                      ３８ｂ；ストッパー
３９  ；操作ツマミ
４１ａ；ねじ歯車                        ４１ｂ；ねじ歯車
４２  ；シャフト
【図１】
2014185930.tif 000003
【図２】
2014185930.tif 000004
【図３】
2014185930.tif 000005